(57)【要約】      （修正有）【課題】取付用の開口部を最小にし、設置工事を簡略にする建物の換気ユニットを提供する。【解決手段】建物の壁Ｗを貫通するダクト１１と、ダクト１１の屋外側端に接続するエルボ１２と、エルボ１２を収納する庇体２０とを組み合わせる。建物の換気ユニットは、建物の壁Ｗに取り付けられる。壁Ｗは、建物の構造材を含む壁本体Ｗ１に対し、屋内側の内壁材Ｗ２、屋外側の外壁材Ｗ３を付設して構成されている。【選択図】図１
0003135895.tif 000002
【実用新案登録請求の範囲】
【請求項１】
建物の壁を内外に貫通する通気用のダクトと、該ダクトの屋外側端に接続するエルボと、該エルボを収納し、屋外側に突出するようにして建物の壁に固定する庇体とを備えてなり、該庇体は、前記エルボの下向きの先端を下面に開口させることを特徴とする建物の換気ユニット。
【請求項２】
前記庇体には、断熱材を充填することを特徴とする請求項１記載の建物の換気ユニット。
【請求項３】
前記庇体の下面には、前記エルボの先端に適合するグリルを取り付けることを特徴とする請求項１または請求項２記載の建物の換気ユニット。
【請求項４】
前記ダクトの屋内側端には、レジスタを付設することを特徴とする請求項１ないし請求項３のいずれか記載の建物の換気ユニット。
【請求項５】
前記ダクトには、換気扇を内装することを特徴とする請求項１ないし請求項４のいずれか記載の建物の換気ユニット。
【考案の詳細な説明】
【技術分野】
【０００１】
この考案は、建物の外観を損なうことがなく、建物に簡単に設置することができる建物の換気ユニットに関する。
【背景技術】
【０００２】
建物の外観を向上させるために、窓の上部に設ける庇に換気用のガラリを一体に組み合わせる換気ユニットが提案されている（特許文献１）。
【０００３】
このものは、屋外側の小庇部、建物の壁を貫通する水平部、屋内側に斜め上向きに起立する起立部を一体の中空体として構成し、小庇部、水平部、起立部の幅を建物の窓の開口幅と同幅に設定している。起立部には、建物内の複数の換気ダクトを連結することができ、小庇部の下面には、通気用のガラリが形成されている。
【特許文献１】特開平１０−７２９２１号公報
【考案の開示】
【考案が解決しようとする課題】
【０００４】
かかる従来技術によるときは、建物の壁を貫通する水平部、屋内側に起立する起立部は、いずれも屋外側の小庇部と同幅に形成されているから、建物の壁に開口すべき取付用の開口部が過大になる上、全体重量も大きくなりがちであり、設置工事が極めて煩雑であるという問題があった。
【０００５】
そこで、この考案の目的は、かかる従来技術の問題に鑑み、通気用のダクト、エルボと、屋外側の庇体とを組み合わせることによって、取付用の開口部を必要最小にするとともに、設置工事を簡略にすることができる建物の換気ユニットを提供することにある。
【課題を解決するための手段】
【０００６】
かかる目的を達成するためのこの考案の構成は、建物の壁を内外に貫通する通気用のダクトと、ダクトの屋外側端に接続するエルボと、エルボを収納し、屋外側に突出するようにして建物の壁に固定する庇体とを備えてなり、庇体は、エルボの下向きの先端を下面に開口させることをその要旨とする。
【０００７】
なお、庇体には、断熱材を充填することができる。
【０００８】
また、庇体の下面には、エルボの先端に適合するグリルを取り付けてもよく、ダクトの屋内側端には、レジスタを付設してもよく、ダクトには、換気扇を内装してもよい。
【考案の効果】
【０００９】
かかる考案の構成によるときは、建物の壁を貫通するダクトと、ダクトの屋外側端に接続するエルボとは、建物の内外に連通する通気路を形成し、屋内の換気機能を発揮することができる。一方、屋外側の庇体は、エルボを収納し、エルボを隠蔽するから、建物の外観を整然とした印象にまとめることができる。ただし、庇体は、建物の窓や出入口などの開口部に付設する日除け用の庇として利用してもよく、また、開口部に付設する庇と同形同大にして外観を統一し、開口部がない場所にダミーとして設置してもよい。すなわち、庇体の幅寸法は、ダクトやエルボの幅より大きければよく、建物全体の外観を考慮して、任意に設定することができる。また、壁には、ダクトの取付用の開口部だけを設ければよく、庇体は、たとえばエルボを組み込み、ダクトと別体に作り、設置時にダクト、エルボを接続するように組み合わせればよいから、全体の設置工事も簡単である。
【００１０】
庇体に充填する断熱材は、庇体により日射を遮る際に、太陽熱の入射をも同時に遮ることができる。なお、断熱材は、軽量で断熱効果が高い材料が好ましく、たとえばブロック状または粒状の発泡ポリスチロール材や、ロックウール材、ガラスウール材などが好適である。
【００１１】
エルボの先端に適合するグリルを庇体の下面に取り付けることにより、鳥、ねずみなどの小動物や、風雨などの侵入を防ぐことができる。また、ダクトの屋内側端に付設するレジスタは、必要に応じて換気量を調節することができる。ただし、ここでいうレジスタとは、シャッタまたはダンパなどの通気量の調節手段を有するグリルをいう。
【００１２】
ダクトに内装する換気扇は、それを運転することにより、屋内の強制換気をすることができる。なお、換気扇は、排気用、吸気用のいずれであってもよく、両者を切換可能なタイプであってもよい。
【考案を実施するための最良の形態】
【００１３】
以下、図面を以って考案の実施の形態を説明する。
【００１４】
建物の換気ユニットは、通気用のダクト１１、エルボ１２と、屋外側の庇体２０とを備えてなる（図１、図２）。
【００１５】
建物の換気ユニットは、建物の壁Ｗに取り付けられる。壁Ｗは、図示しない建物の構造材を含む壁本体Ｗ1 に対し、屋内側の内壁材Ｗ2 、屋外側の外壁材Ｗ3 を付設して構成されている。
【００１６】
ダクト１１は、壁Ｗの壁本体Ｗ1 、内壁材Ｗ2 を貫通し、実質的に壁Ｗを内外に貫通している。ダクト１１は、断熱性が良好な単一材または複合材の板材により、断面長方形の角形に形成されている。ダクト１１の屋内側端は、内壁材Ｗ2 から僅かに突出しており、レジスタ１３が付設されている。ダクト１１の屋外側端は、壁本体Ｗ1 の屋外側に開口している。
【００１７】
エルボ１２は、庇体２０に組み込まれ、庇体２０の取付板２１を介し、ダクト１１の屋外側端に接続されている。エルボ１２の下向きの先端は、庇体２０の下面に開口しており、庇体２０の下面には、エルボ１２の先端に適合するグリル１４が取り付けられている。なお、取付板２１には、エルボ１２の断面形状に適合する開口部２１ａが形成されており、エルボ１２は、水平の基部を開口部２１ａに合わせて庇体２０に収納されている。ただし、開口部２１ａの縦横寸法は、ダクト１１の外寸より大きくなく、ダクト１１の内寸より小さくないものとする。
【００１８】
庇体２０は、開口部２１ａ付きの取付板２１に対し、片流れ式の庇２２を付設して形成されている。庇２２は、たとえば板金製の外殻内に断熱材２３を充填して構成されており、庇２２の下面には、取付板２１側を除く３辺に沿って、水切り用の段部２２ａが連続的に形成されている（図３）。
【００１９】
庇体２０は、取付板２１を介し、壁本体Ｗ1 の屋外側に対して、建物の屋外側に突出するようにして固定する（図１）。なお、ダクト１１は、庇体２０を固定するに先き立って、壁Ｗに形成する取付用の開口部Ｗa に固定しておく。また、庇体２０の近傍の外壁材Ｗ3 は、庇体２０を固定した後、取付板２１を覆うようにして装着する。このとき、取付板２１の開口部２１ａをダクト１１の屋外側端に合わせることにより（図２）、開口部２１ａを介してダクト１１、庇体２０内のエルボ１２を連通させる。そこで、ダクト１１、エルボ１２は、建物の内外に連通する通気路を形成し、屋内の換気をすることができる。また、建物の屋内側には、ダクト１１の屋内側端のレジスタ１３が露出するから（図４）、レジスタ１３に付属する調節用の摘み１３ａを操作して換気量を調節することができる。
【００２０】
以上の説明において、ダクト１１には、換気扇Ｆを内装することができる（図１〜図３）。換気扇Ｆは、屋内の空気を排気し、または屋外の空気を吸気することにより、屋内を強制換気することができる。換気扇Ｆは、屋内側のスイッチによって起動停止させるものとし、屋内側のレジスタ１３を全閉することにより自動停止させることが好ましい。なお、換気扇Ｆは、吸排気兼用形であって、回転方向を正逆に選択できるタイプであってもよい。
【００２１】
また、ダクト１１、庇体２０の下方は、図１のように建物の壁Ｗとするに代えて、窓や出入口などの建物の開口部としてもよい。すなわち、図１の庇体２０は、単なるダミーとして使用されているが、これを建物の開口部用の日除けとして使用してもよい。なお、このときの庇体２０の左右の幅寸法は、建物の開口部の開口幅に合わせることが好ましい。
【００２２】
取付板２１の開口部２１ａは、一般に、庇体２０の左右の幅方向の中央、すなわち取付板２１の中央に形成すればよいが、必要に応じて取付板２１の左または右に偏移させてもよいものとする。たとえば建物の開口部の上部に設置するとき、屋内側のレジスタ１３を開口部の左または右に片寄せて配置することができる。なお、庇体２０内のエルボ１２は、開口部２１ａに常に合わせて配置するものとする。
【図面の簡単な説明】
【００２３】
【図１】全体構成縦断面図
【図２】全体構成分解斜視図
【図３】図１のＸ矢視相当図
【図４】図１のＹ矢視相当図
【符号の説明】
【００２４】
Ｆ…換気扇
Ｗ…壁
１１…ダクト
１２…エルボ
１３…レジスタ
１４…グリル
２０…庇体
２３…断熱材
実用新案登録出願人      有限会社  岩井工業所
代理人  弁理士                松  田  忠  秋
【図１】
0003135895.tif 000003
【図２】
0003135895.tif 000004
【図３】
0003135895.tif 000005
【図４】
0003135895.tif 000006